(57)【要約】【課題】給湯制御装置本体２に電気的に接続され通信を行う遠隔装置３を備え、この遠隔装置３が停電時に発光可能であるとともに、給湯制御装置本体２の故障や断線が発生しても、充分に足元を照明できる給湯装置を提供する。【解決手段】給湯装置は、交流電源１が入力され給湯栓４１に給湯する給湯機５０を制御する給湯制御装置本体２と、この給湯制御装置本体２と電気的に接続されて給湯制御装置本体２と通信を行い壁部に取り付けられた遠隔装置３とを備える。更に、遠隔装置３には、給湯機５０の制御状態を表示する表示部４と、交流電源１の停電を判定する演算回路５と、交流電源１からの電力を蓄電する蓄電回路６と、演算回路５が停電と判定したときに発光する発光部４ｈと、発光部４ｈを含む少なくとも一部構成部材３ｐを壁部３３側から取外す取外し機構７ｆを備える。【選択図】図１
2014047937.tif 000002
【特許請求の範囲】
【請求項１】
交流電源（１）が入力され、給湯栓（４１）に給湯する給湯機（５０）を制御する給湯制御装置本体（２）と、
前記給湯制御装置本体（２）と電気的に接続されて前記給湯制御装置本体（２）と通信し壁部に取り付けられた遠隔装置（３）と、を備え、
前記遠隔装置（３）に、
前記給湯機（５０）の制御状態を表示する表示部（４）と、
前記交流電源（１）の停電を判定する停電判定手段（５）と、
前記交流電源（１）からの電力を蓄電する蓄電手段（６）と、
前記停電判定手段（５）が停電と判定した場合に、自動的に、または、所定の条件が成立したときに、発光する発光部（４ｈ）と、
前記発光部（４ｈ）を含む少なくとも一部の部材（３ｐ）を前記壁部から取外す取外し機構（７ｆ）と、を備えることを特徴とする給湯装置。
【請求項２】
更に、ユーザによって操作される操作手段（７）を備え、
前記停電判定手段（５）による停電判定後において、前記操作手段（７）が操作された場合に、前記発光部（４ｈ）が発光することを特徴とする請求項１に記載の給湯装置。
【請求項３】
前記停電判定手段（５）による停電判定後において、前記少なくとも一部の部材（３ｐ）が前記壁部（３３）から取外されることにより、前記発光部（４ｈ）が発光することを特徴とする請求項１に記載の給湯装置。
【請求項４】
前記遠隔装置（３）の前記壁部（３３）側からの取外しは、前記遠隔装置（３）の前記一部の部材（３ｐ）に対して行われ、取外される前記一部構成部材（３ｐ）には、前記発光部（４ｈ）と前記蓄電手段（６）とが含まれることを特徴とする請求項１ないし３のいずれか一項に記載の給湯装置。
【請求項５】
前記発光部（４ｈ）よりも消費電力の小さい補助発光部（７ｈ）を備え、
前記遠隔装置（３）は、前記停電判定手段（５）による停電判定に伴って前記補助発光部（７ｈ）を自動点灯させ、更に、前記操作手段（７）の操作により前記発光部（４ｈ）を発光させることを特徴とする請求項２に記載の給湯装置。
【請求項６】
前記発光部（４ｈ）よりも消費電力の小さい補助発光部（７ｈ）を備え、
前記遠隔装置（３）は、前記停電判定手段（５）による停電判定に伴って前記補助発光部（７ｈ）を自動点灯させ、更に、前記少なくとも一部の部材（３ｐ）が前記壁部（３３）から取外されることにより前記発光部（４ｈ）を発光させることを特徴とする請求項３に記載の給湯装置。
【請求項７】
前記操作手段（７）の操作に基づき、前記発光部（４ｈ）が発光すると共に前記取外し機構（７ｆ）を作動させて前記壁部（３３）から前記遠隔装置（３）を取外し可能とすることを特徴とする請求項２または５に記載の給湯装置。
【請求項８】
前記蓄電手段（６）は、前記交流電源（１）以外の外部電源を供給する外部発電手段（４０）からも電力が供給されることを特徴とする請求項１ないし７のいずれか一項に記載の給湯装置。
【請求項９】
前記外部発電手段（４０）は、前記給湯栓（４１）を流れる水流によって発電する水力発電機（４０）から成ることを特徴とする請求項８に記載の給湯装置。
【発明の詳細な説明】
【技術分野】
【０００１】
本発明は、給湯制御装置本体に電気的に接続され通信を行う遠隔装置を備え、この遠隔装置が停電時に発光可能な給湯装置に関するものである。
【背景技術】
【０００２】
従来技術として、停電発生時に屋外に設置された給湯制御装置本体の停電判定によって、屋外の給湯制御装置本体に蓄電した電力を、風呂場等の遠隔装置に供給するとともに、遠隔装置へ非常灯処理信号を送信して、遠隔装置の表示部を発光させる特許文献１記載の技術がある。
【０００３】
この従来技術に基づく給湯装置は、屋外の給湯制御装置本体に、商用電源から直流電源を生成する電源回路と、電源回路から供給される電力を蓄電する蓄電回路と、遠隔装置を介したユーザの操作に応じて給湯装置を制御する演算回路と、遠隔装置と電気的に接続され通信を行う通信回路とを有する。
【０００４】
遠隔装置（リモコン）には、台所リモコンと浴室リモコンがある。台所リモコンと浴室リモコンとは、それぞれユーザの操作による給湯装置の運転状態を表示する表示部を有している。このような、給湯制御装置本体と浴室リモコンと台所リモコンとを有する給湯装置において、停電発生時に、給湯制御装置本体の演算回路で停電があったことを判定すると、給湯制御装置本体の蓄電回路で蓄電した電力を浴室リモコンと台所リモコンとに供給するとともに、浴室リモコンと台所リモコンとに対し、通信により、所定の非常灯処理信号を送信する。非常灯処理信号を受信した浴室リモコンと台所リモコンとは直ちに表示部を全点灯させて、ユーザに照明装置として提供する。
【先行技術文献】
【特許文献】
【０００５】
【特許文献１】特開２０１１−２３７１３１号公報
【発明の概要】
【発明が解決しようとする課題】
【０００６】
上記特許文献１の従来技術によると、停電時、給湯制御装置本体で停電判定し、給湯制御装置本体の蓄電電力を浴室リモコンと台所リモコンとに供給するとともに、給湯制御装置本体が送信した非常灯処理信号に基づき、浴室リモコンと台所リモコンとの表示部を点灯させることを想定しているが、給湯制御装置本体の故障時や、給湯装置と浴室リモコンと台所リモコンとを電気的に接続する通信線の断線時は、表示部を発光させることができない。また、浴室リモコンと台所リモコンとは壁部に固定されているため、歩行するユーザの足元を照らすことができない。つまり、非常時、浴室リモコンと台所リモコンとの周辺が明るくても、窓や非常灯が無く、懐中電灯を持ち込むことが無い浴室では、充分に足元を照らせない。よって、ユーザに充分な安心感を提供できない。
【０００７】
本発明は、このような従来の技術に存在する問題点に着目して成されたものであり、その目的は、給湯制御装置本体に電気的に接続され通信を行う遠隔装置が停電時に発光可能であるとともに、給湯制御装置本体の故障や、給湯装置と遠隔装置とを電気的に接続する通信線の断線等により作動不良となることなく、充分にユーザの足元を照らせる給湯装置を提供することにある。
【０００８】
従来技術として列挙された特許文献の記載内容は、この明細書に記載された技術的要素の説明として、参照によって導入ないし援用することができる。
【課題を解決するための手段】
【０００９】
本発明は上記目的を達成するために、下記の技術的手段を採用する。すなわち、本願に記載の発明では、交流電源（１）が入力され、給湯栓（４１）に給湯する給湯機（５０）を制御する給湯制御装置本体（２）と、給湯制御装置本体（２）と電気的に接続されて給湯制御装置本体（２）と通信し壁部に取り付けられた遠隔装置（３）とを備え、遠隔装置（３）に、給湯機（５０）の制御状態を表示する表示部（４）と、交流電源（１）の停電を判定する停電判定手段（５）と、交流電源（１）からの電力を蓄電する蓄電手段（６）と、停電判定手段（５）が停電と判定した場合に自動的にまたは所定の条件が成立したときに、発光する発光部（４ｈ）と、発光部（４ｈ）を含む少なくとも一部の部材（３ｐ）を壁部から取外す取外し機構（７ｆ）とを備えることを特徴としている。
【００１０】
この発明によれば、遠隔装置が停電時に自動的に発光可能である。または、遠隔装置が停電時に所定の条件が成立したときに発光可能である。そして、発光部が壁部から取外し可能であるから、ユーザが照らしたい部分を確実に発光部で照らすことができ、充分にユーザの足元を照らすことができる。
【００１１】
本願に記載の発明では、更に、ユーザによって操作される操作手段（７）を備え、停電判定手段（５）による停電判定後において、操作手段（７）が操作された場合に、発光部（４ｈ）が発光することを特徴としている。
【００１２】
この発明によれば、停電判定手段による停電判定後において、ユーザによる操作手段の操作がなされた場合に発光部が発光するので、操作するユーザが不在のときの不要な発光を防止することが可能である。
【００１３】
本願に記載の発明では、停電判定手段（５）による停電判定後において、少なくとも一部の部材（３ｐ）が壁部（３３）から取外されることにより、発光部（４ｈ）が発光することを特徴としている。
【００１４】
この発明によれば、停電判定手段による停電判定後において、少なくとも一部の部材が壁部から取外されることにより発光部が発光するので、取外すユーザが不在のときの不要な発光を防止することが可能である。
【００１５】
本願に記載の発明では、発光部（４ｈ）よりも消費電力の小さい補助発光部（７ｈ）を備え、遠隔装置（３）は、停電判定手段（５）による停電判定に伴って補助発光部（７ｈ）を自動点灯させ、更に、操作手段（７）の操作により発光部（４ｈ）が発光することを特徴としている。
【００１６】
この発明によれば、停電判定に伴って自動的に補助発光部が点灯し、必要に応じ操作に基づいて発光部を発光させることができ、ユーザ不在時の電力の浪費が少ない。
【００１７】
本願に記載の発明では、発光部（４ｈ）よりも消費電力の小さい補助発光部（７ｈ）を備え、遠隔装置（３）は、停電判定手段（５）による停電判定に伴って補助発光部（７ｈ）を自動点灯させ、更に、少なくとも一部の部材（３ｐ）が壁部（３３）から取外されることにより発光部（４ｈ）が発光することを特徴としている。
【００１８】
この発明によれば、停電判定に伴って自動的に補助発光部が点灯し、必要に応じ一部の部材（３ｐ）が壁部（３３）から取外されることにより発光部を発光させることができ、ユーザ不在時の電力の浪費が少ない。
【００１９】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２０】
【図１】本発明の第１実施形態における給湯装置のブロック構成図である。
【図２】上記実施形態における遠隔装置を壁部から取外す前の状態を説明する斜視図である。
【図３】上記実施形態における遠隔装置の取外しを説明する斜視図である。
【図４】上記実施形態における遠隔装置を取外す前の状態を示す一部断面図である。
【図５】上記実施形態における遠隔装置を取外した直後の状態を示す一部断面図である。
【図６】上記実施形態に対する比較例における給湯装置のブロック構成図である。
【図７】上記実施形態における作動を説明するフローチャートである。
【図８】本発明の第２実施形態における給湯装置のブロック構成図である。
【図９】上記第２実施形態における給湯栓および水力発電機部分を示す摸式構成図である。
【発明を実施するための形態】
【００２１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２２】
各実施形態で具体的に組合せが可能であることを明示している部分同士の組合せばかりではなく、特に組合せに支障が生じなければ、明示していなくても実施形態同士を部分的に組合せることも可能である。
【００２３】
（第１実施形態）
以下、本発明の第１実施形態について説明する。図１において、２００ボルトの商用電源からなる交流電源１が給湯制御装置本体２に入力されている。給湯制御装置本体２は、ヒートポンプからなる給湯機５０を制御する。給湯機５０には給湯制御装置本体２から通信線と電力線が配線されている。
【００２４】
また、給湯機５０は、図示しない貯湯槽内に温水を貯え、貯えた温水を給湯栓に給湯するために使用される。給湯制御装置本体２と電気的に接続されて該給湯制御装置本体２と通信を行い通常時は家屋内の壁部に取り付けられた遠隔装置３を備える。
【００２５】
遠隔装置３には、給湯機５０の制御状態を表示する表示部４を備える。遠隔装置３には、交流電源１の停電を判定する停電判定手段を成す演算回路５と、交流電源１からの電力を蓄電する蓄電手段を成す蓄電回路６と、停電判定手段が停電と判定したときに発光する発光部４ｈとを備える。
【００２６】
なお、発光部４ｈは表示部４を兼ねているが、別部品で構成しても良い。交流電源１の停電があったことが判定されると、図２のように、非常スイッチ７（スイッチ手段または操作手段ともいう）の頭部の透光性を有する部分７ｈ（小発光部または補助発光部とも言う）が先ず発光する。そして、非常スイッチ７を押下げる操作により、図３のように表示部４のバックライトが強く発光し発光部４ｈ（大発光部とも言う）が出現する。
【００２７】
遠隔装置３には発光部４ｈを成す表示部４が強く発光した状態で遠隔装置３を壁部３３に固定された取付け板３４から取外し可能な取外し機構（後述）を備える。これにより、遠隔装置３が停電時に発光可能であるとともに壁部３３側から取外し可能であるから、ユーザが、壁部３３側から外された遠隔装置３の一部構成部材３ｐを手に持って、照らしたい部分を確実に照らすことができ、充分にユーザの足元を照らすことができる。
【００２８】
遠隔装置３は、停電判定手段５による停電判定後、操作手段を成す非常スイッチ７の操作により表示部４のバックライトを通常表示状態よりも強く発光させる。遠隔装置３の壁部３３側からの取外しは、図３の矢印Ｙ３１のように遠隔装置３の一部構成部材３ｐに対して行われ、取外された一部構成部材３ｐ内に、表示部４と蓄電手段６等が含まれる。
【００２９】
図４のように遠隔装置３を壁部３３に固定された取付け板３４から取外すときに押下げられる非常スイッチ７のフック部７ｆを有する。フック部７ｆは取付け板３４の係止孔３４ａの外周に係止されて、通常時は一部構成部材３ｐを取付け板３４に固定している。図４の非常スイッチ７のバネ７ｂに逆らう押下げ操作により、フック部７ｆを係止孔３４ａから外すことができる。また、同時に、非常スイッチ７のスイッチ動作により表示部４が発光する。
【００３０】
この場合、図２のように、遠隔装置３における停電判定手段５による停電判定に伴って補助発光部７ｈを成す非常スイッチ７の上部の透光性を有する部分内の発光ダイオードを点灯させ、非常スイッチ７の押下げ操作に基づいて、図３のように大発光部４ｈを成す表示部４を強く発光させる。このように非常スイッチ７の操作に基づき表示部４を強く発光させ大発光部４ｈとすると共に、フック部７ｆを有する取外し機構を作動させて壁部３３側の取付け板３４から遠隔装置３の一部構成部材３ｐを取外し可能である。
【００３１】
以下、更に詳しく説明する。図１の給湯制御装置本体２には、商用電源からなる交流電源から直流電圧を生成する給湯電源回路２ａと、遠隔装置３を介してユーザの操作に応じて給湯機５０を制御する給湯演算回路２ｂと、遠隔装置３と電気的に接続され通信を行う給湯通信回路２ｃとを有する。遠隔装置３のうち第１の遠隔装置は風呂リモコン３ａ、第２の遠隔装置は台所リモコン３ｂであり、それぞれユーザの操作による給湯機５０の運転状態を表示する表示部４ａ、４ｂを有する。
【００３２】
遠隔装置３には、給湯制御装置本体２と電気的に接続されて通信線８ａ、８ｂを介して通信を行う通信回路９と、演算回路５とを有する。演算回路５は、ユーザ操作に応じて給湯制御装置本体２に情報を伝達する情報伝達制御と、表示部４に表示する表示制御と、給湯制御装置本体２からの電源電圧供給停止を検知した場合に停電と判定する停電判定制御とを行う。
【００３３】
また、遠隔装置３には、給湯制御装置本体２から電源線１１ａ、１１ｂを介して供給される直流電圧（１２ボルト）から演算回路６等の電源電圧を生成する電源回路１０と、給湯制御装置本体２から供給される直流電圧を蓄電する蓄電回路６とを有する。
【００３４】
図４および図５に基づき遠隔装置３の取外し構造について更に説明する。遠隔装置３には、表示部４やスイッチ等の各種電子部品が実装された制御基板３１と、制御基板３１を水や埃などから保護する筐体３２と、壁部３３に設けられた取付け板３４に遠隔装置３の筐体３２を持つ一部構成部材３ｐを取付けたり外したりするフック部７ｆとを有する。図５では、フック部７ｆが押下げられて係止孔３４ａを潜り抜け、矢印Ｙ５方向に取外される過程を示している。
【００３５】
また、遠隔装置３は、給湯制御装置本体２と電気的に接続され通信を行うための通信信号を伝達するにあたり電源を必要とする。このために、取付け板３４に固定された給電プラグ３６と給電プラグ３６との電気的結合および脱着が可能な電気的接触部３７とを有する。この電気的接触部３７を介して制御基板３１等に給電される。
【００３６】
（第１実施形態の作動）
第１実施形態の作動を説明する前に、比較例について説明する。図６の比較例において、給湯制御装置本体２に蓄電した電力を遠隔装置３に供給するとともに、遠隔装置３へ非常灯処理信号を送信して遠隔装置３の表示部４を発光させる。
【００３７】
遠隔装置３は風呂リモコン３ａ、台所リモコン３ｂから成り、それぞれユーザ操作による給湯機５０の運転状態を表示する表示部４ａ、４ｂを有する。このように、給湯制御装置本体２と個別に接続された遠隔装置３を備えた給湯装置において、停電発生時に給湯制御装置本体２の給湯演算回路２ｂで停電判定すると、給湯制御装置本体２の給湯蓄電回路２ｄに蓄電された１２ボルトの電力を遠隔装置３に電源線１１ａ、１１ｂにて供給するとともに、遠隔装置３に対し通信により「非常灯処理」を開始するよう非常灯処理指示信号を送信する。
【００３８】
非常灯処理指示信号を受信した遠隔装置３は、直ちに表示部４を全点灯させて、ユーザに照明装置として提供する。この比較例の場合、給湯制御装置本体２が故障したり、給湯制御装置本体２と遠隔装置３とを電気的に接続する通信線が断線したりした時には有効に作動しない。また、遠隔装置３は壁部に固定されているため、ユーザの足元を充分に照らすことができない。
【００３９】
これに対して、第１実施形態においては、停電が発生した場合、図１の給湯制御装置本体２から遠隔装置３に供給される直流電圧が低下するため、遠隔装置３内の演算回路５で直流電圧の低下を検知し、停電と判定する。
【００４０】
遠隔装置３が停電と判定すると、遠隔装置３の蓄電回路６に蓄電された電力を用いて、遠隔装置３の表示部４を最終的に全点灯することで、給湯制御装置本体２の故障時や通信線断線時でも、確実に遠隔装置３の表示部４を発光部４ｈとして発光させて非常灯として利用することが可能である。
【００４１】
この場合、図７のフローチャートのように、ステップＳ１で停電判定した後に、ステップＳ２において非常スイッチ７の補助発光部７ｈのみを図２のように先ず発光させ、ユーザが非常スイッチ７を図３の矢印Ｙ３のように押下した場合のみ、ステップＳ３で表示部４を全点灯させ大発光部４ｈを出現させる。これにより、操作者がいない無人時に停電が発生した場合、蓄電回路６に蓄電された電力を無駄に消費することを防止できる。
【００４２】
更に、図５のように、非常スイッチ７は、遠隔装置３の一部構成部材３ｐを取付け板３４からの取外すトリガ構造と兼ねて構成されている。これによれば、ユーザによるスイッチ操作のみで、表示部４の全点灯と同時に、図５の取付け板３４から遠隔装置３の一部構成部材３ｐを取外すことが可能である。
【００４３】
従って、夜間の入浴時や集合住宅で窓の無い浴室での入浴時に発生した停電において、取外した遠隔装置３の一部構成部材３ｐの大発光部４ｈからの透光性窓４ｈ１を通過する光でユーザの足元を照らすことができるため、ユーザに安心感をもたらし安全性の向上が可能になる。なお、取外された後には、給電プラグ３６と電気的接触部３７との結合が解除され、蓄電回路６内の二次電池から一部構成部材３ｐ内の電気部品が給電される。
【００４４】
上記実施形態においては、遠隔装置３の壁部３３側からの取外しは、遠隔装置３の一部構成部材３ｐに対して行われ、取外される一部構成部材３ｐ内に、発光部４ｈと蓄電手段６とが含まれる。従って、遠隔装置３の取外しは部分的であるから持ち運びが容易である。また、持ち運びが容易な発光部４ｈにより所望の場所を照明することができる。
【００４５】
また、操作手段７の操作に基づき発光部４ｈが発光すると共に操作手段７の操作に基づき取外し機構７ｆを作動させて壁部３３側から遠隔装置３を取外し可能である。従って、ユーザによる操作手段の操作に基づいて表示部を発光させ、かつ取外し可能となるため、不要な発光を防止すると共に取外しが容易になる。
【００４６】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。図８において、給湯制御装置本体２には、商用電源から直流電圧を生成する給湯電源回路２ａと、遠隔装置３におけるユーザの操作に応じて、ヒートポンプからなる給湯機５０を制御する制御信号を演算する給湯演算回路２ｂと、遠隔装置３と電気的に接続され通信を行う給湯通信回路２ｃとを有する。遠隔装置３は、浴室リモコン３ａと台所リモコン３ｂから成り、それぞれユーザの操作による給湯機５０の運転状態を表示する表示部４（４ａ、４ｂ）を有する。
【００４７】
遠隔装置３には、給湯制御装置本体２と電気的に接続され通信を行う通信回路９と演算回路５とを有する。演算回路５は、ユーザの操作に応じて給湯制御装置本体２へ情報を伝達する情報伝達制御と、表示部４に表示する表示制御と、給湯制御装置本体２からの電源電圧供給停止を検知した場合に停電と判定する停電判定制御とを行う。
【００４８】
また、遠隔装置３には、給湯制御装置本体２から供給される直流電圧から演算回路５等の電源を生成する電源回路１０と、交流電源１からの電力のみならず、水道水や温水等の水流から発電可能な水力発電機４０で発電された電力をも蓄電する蓄電回路６とを有する。
【００４９】
この第３実施形態では、水力発電機４０で発電された電力を蓄電することで、商用電源の電力消費を抑制することが可能であり、停電しても水力発電機４０に流れ込む水流が確保されれば、常に表示部４を全点灯し続けることが可能となり、ユーザに更なる安心を与えることができる。
【００５０】
更に、水力発電機４０は、外部発電手段を構成し、図９のように給湯栓４１を流れる給湯機５０等からの水流によって発電する。これによれば、外部発電手段は給湯栓４１を流れる水流によって発電する水力発電機４０であるから、停電時に水流を流し続けることによって容易に発電を継続できる。なお、図９の４２は給湯栓の操作レバー、４３は温水冷水混合部、４４は発電制御装置である。
【００５１】
上記第２実施形態においては、遠隔装置３は、交流電源１以外の外部電源を供給する外部発電手段４０からも遠隔装置３内の蓄電手段６に電力が供給される。従って、交流電源１の停電後に外部発電手段４０による電力で蓄電できるから蓄電手段６の蓄電容量が少ない場合でも長い時間ユーザが照らしたい部分を発光部４ｈで照らすことができる。
【００５２】
更に、外部発電手段４０は、給湯栓４１を流れる水流によって発電する水力発電機４０から成る。従って、停電時に水流を流し続けることによって容易に発電を継続することができる。
【００５３】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００５４】
例えば、上述の第１実施形態では、風呂場に置かれた遠隔装置での実施形態で説明したが、台所に置かれた遠隔装置で実施しても良い。また、上記第１実施形態においては、停電判定後に非常スイッチの頭部のみを先ず点灯させ、ユーザが非常スイッチを押下げ操作した場合のみ表示部を全点灯させたが、遠隔装置が停電判定すると、遠隔装置の蓄電回路に蓄電された電力を用いて、遠隔装置の表示部を直ちに全点灯させても良い。これにより、給湯制御装置本体の故障時や通信線断線時でも、確実に遠隔装置の表示部のバックライトを自動点灯させて非常灯として利用することが可能である。
【００５５】
更に、上記第１実施形態では、操作手段を成す非常スイッチを押下げて取外し可能としたが、取外せばスイッチ操作が自動的に成されるリミットスイッチ等のスイッチ手段を設け、取外すと自動的に発光部が発光するようにしても良い。
【符号の説明】
【００５６】
３  遠隔装置
４  表示部
５  停電判定手段（演算回路）
４ｈ  発光部（大発光部）
７  非常スイッチ
７ｈ  補助発光部（小発光部）
７ｆ  フック部（取外し機構）
３３  家屋の壁部
３４  取付け板
４０  外部発電手段（水力発電機）
【図１】
2014047937.tif 000003
【図２】
2014047937.tif 000004
【図３】
2014047937.tif 000005
【図４】
2014047937.tif 000006
【図５】
2014047937.tif 000007
【図６】
2014047937.tif 000008
【図７】
2014047937.tif 000009
【図８】
2014047937.tif 000010
【図９】
2014047937.tif 000011